(57)【特許請求の範囲】
【請求項１】
縁が水平方向に張り出しており平面視において外形が略矩形である、縁高さから所定深さ沈み込んだ底面を有するシンク体と、
前記縁を受ける枠部と、枠部から下方に延伸する四本の脚であって枠部を構成する四辺のうちの短手側にある二本がそれぞれ組となり内側に折り畳んで平面視において枠部内に収まる脚部と、枠部もしくは脚部の少なくとも二箇所に設けられた差込口と、を有する脚体と、
水道蛇口を取り付けた基板部と、基板部から延伸し差込口に差し込むことにより基板部をシンク体長手側の縁の所定高さに立設保持する差込棒と、を有する水道体と、
を具備し、
非使用時にはシンク体と脚体と水道体とに分離して高さ方向に積み重ねて減容可能としたことを特徴とする組立シンク。
【請求項２】
水道体をシンク体の底面に収容可能な大きさとしたことを特徴とする請求項１に記載の組立シンク。
【請求項３】
水道体は、更に、差込棒に直交する方向にて差込棒に合着し、枠部と縁との間に介在させて差込棒を差込口に差し込みつつ基板部を位置決めする横桟を有することを特徴とする請求項１または２に記載の組立シンク。
【発明の詳細な説明】
【技術分野】
【０００１】
本発明は、イベントや建設現場などスポット的に使用する組立シンクに関し、特に、保管時や搬送時などの非使用時には嵩張らず、使用時には簡便に組み立てることの可能な組立シンクに関する。
【背景技術】
【０００２】
従来、イベントや建設現場などで、簡易水道設備が必要とされ、市販のシンクが用いられている。
【０００３】
しかしながら、市販のシンクは据え置き型として設計されており、非使用時にはむやみに空間を占有し保管に困るという問題点があった。特に、大型イベントでは、シンクが長尺ものとなり蛇口も複数取り付けられているので、非使用時には一層場所をとってしまうという問題点があった。
【先行技術文献】
【特許文献】
【０００４】
【特許文献１】特開２００４−０６５８０２
【発明の概要】
【発明が解決しようとする課題】
【０００５】
本発明は上記に鑑みてなされたものであって、簡便に組立て可能であり非使用時には嵩張らずに保管可能な組立シンクを提供することを目的とする。
【課題を解決するための手段】
【０００６】
請求項１に記載の組立シンクは、縁が水平方向に張り出しており平面視において外形が略矩形である、縁高さから所定深さ沈み込んだ底面を有するシンク体と、前記縁を受ける枠部と、枠部から下方に延伸する四本の脚であって枠部を構成する四辺のうちの短手側にある二本がそれぞれ組となり内側に折り畳んで平面視において枠部内に収まる脚部と、枠部もしくは脚部の少なくとも二箇所に設けられた差込口と、を有する脚体と、水道蛇口を取り付けた基板部と、基板部から延伸し差込口に差し込むことにより基板部をシンク体長手側の縁の所定高さに立設保持する差込棒と、を有する水道体と、を具備し、非使用時にはシンク体と脚体と水道体とに分離して高さ方向に積み重ねて減容可能としたことを特徴とする。
【０００７】
すなわち、請求項１にかかる発明は、部品数が３つであり、脚を伸ばす・差込棒を差し込む・シンク体を載せる、の３工程で組立てが完了し、また、分解しても高さ方向に横倒しに積んで減容できる。
【０００８】
なお、基板部は、板として構成しても、枠として構成してもよい。蛇口をはさみ、基板部裏面は、塩ビパイプ等により集合管を組み付け、別途引き回された水道ホースに接続するようにする。蛇口は１箇所でもよいが、シンク体の横幅にしたがって２箇所から４箇所程度設けるのが好適である。シンク体は、持ち運び易いようにたとえばＦＲＰとすることができる。また、シンク体には排水口を設け、そこから適宜、大径の蛇腹ホースを取り回し、別途排水路に案内するようにする。脚部は、たとえば、会議室等に採用する長机の脚部を応用することができる。
なお、シンク体の縁高さは地上より８０ｃｍ、蛇口の位置は地上より１０５ｃｍ、底面は縁より約２０ｃｍ下げるように設計することができる。
【０００９】
請求項２に記載の組立シンクは、請求項１に記載の組立シンクにおいて、水道体をシンク体の底面に収容可能な大きさとしたことを特徴とする。
【００１０】
すなわち、請求項２にかかる発明は、水道体の厚み分を更に減容可能となる。
【００１１】
収容可能とするには、基板部の横幅をシンク体の底面横幅より小さくし、また、基板部の縦幅と延伸した差込棒部分との長さをシンク体の底面縦幅より小さくすることにより実現できる。
【００１２】
請求項３に記載の組立シンクは、請求項１または２に記載の組立シンクにおいて、水道体は、更に、差込棒に直交する方向にて差込棒に合着し、枠部と縁との間に介在させて差込棒を差込口に差し込みつつ基板部を位置決めする横桟を有することを特徴とする。
【００１３】
すなわち、請求項３にかかる発明は、蛇口が簡単に位置決めされるとともに水道体ひいては組立シンク全体の安定性が高まる。
【００１４】
横桟は、差込棒総てに合着している態様が好ましく、その長さは、シンク体長手または底面長手程度とする。一本物とすることにより、組み立てた際の全体の剛性が高まる。
【発明の効果】
【００１５】
本発明によれば、簡便に組立て可能であり非使用時には嵩張らずに保管可能な組立シンクを提供することが可能となる。
【図面の簡単な説明】
【００１６】
【図１】本発明の組立シンクの組付けの様子を示した説明図である。
【図２】図１に示した組立シンクの分解収容時（非使用時）の様子を示した正面図である。
【図３】横桟とシンク体と枠との関係を基板の裏面から示した説明図である。である。
【発明を実施するための形態】
【００１７】
以下、本発明の実施の形態を図面を参照しながら詳細に説明する。ここでは、３つの蛇口を有する組立シンクについて説明する。
【００１８】
図１は、本発明の組立シンクの組付けの様子を示した説明図である。図２は、図１に示した組立シンクの分解収容時（非使用時）の様子を示した正面図である。図３は、横桟とシンク体と枠との関係を基板の裏面から示した説明図である。なお、各図は、説明の便宜上、適宜構成を省略し、また、縮尺は必ずしも揃えず描画している。
図示したように、組立シンク１は、シンク体１０と、脚体２０と、水道体３０と、により構成される。
【００１９】
シンク体１０は、外縁を形成する縁１１と水を受ける桶部１２とからなりＦＲＰ製の一体物として形成されている。シンク体１０は、平面視において外形が長方形であり、その大きさは、幅１６０ｃｍ、奥行き４５ｃｍである。ただし、四つの角は若干の丸みを持たせている。
【００２０】
縁１１は、桶部１２上面から外側（水平方向）に張り出し、幅約４ｃｍにて周縁を形成している。桶部１２は、縁１１から沈み込んで形成され、その深さは２０ｃｍとしている。桶部１２の底面１２１も略長方形であるが、水が流れるように中央に向け若干の傾斜がつけてある。その中央には、ゴミ受け１２２が形成され、その下に蛇腹の排水ホース１２３が接続されている（図では蛇腹模様は省略し、中途まで描画している）。ゴミ受け１２２と排水ホース１２３は、桶部１２から取り外し可能であるが、非使用時でも通常は邪魔にならないため取り付けたままとしている。なお、縁１１には下に向けて返し１１１を設けている。これによりシンク体１０全体の剛性が高まる。ただし、返し１１１には、片方の長手に後述の横桟３５の高さ分の切欠１１２が設けられている。
【００２１】
脚体２０は、縁１１を受ける所定幅の四角形の枠２１と、枠２１から下方に延伸した四本の脚２２と、枠２１の四ヶ所に取り付けた差込口２３と、を有する。
【００２２】
脚２２は、枠２１の短辺側の二本が組となり、それぞれが内側に折り畳めるようになっている。図２に示したように、折り畳みは脚先が外にはみ出さないようにしており、向かい合った倒伏姿勢である。なお、本実施の形態においては、枠２１の高さは、地上から７６ｃｍである。また、折り畳んだ後の脚体２０の高さは１３ｃｍとなる設計としている。折り畳み機構は汎用の機構を用いればよく、ここではその説明を省略する。
【００２３】
差込口２３は、角筒として形成され、枠２１の長辺それぞれに鉛直方向に２箇所合着している。後述するように、差込口２３は、水道体３０を取り付けるために用いる。
【００２４】
なお、枠２１は本実施の形態では所定幅の長方形にて形成されているが、折り畳み機構との関係で、長手二本の棒体により形成されていてもよい。
【００２５】
水道体３０は、基板３１と、蛇口３２と、配管３３と、差込棒３４と、横桟３５と、を有する。
【００２６】
基板３１は、横幅が底面１２１の幅より若干小さなアルミ板であって、その裏面３１２には基板３１の短手方向に二本の平行な差込棒３４が合着されている。差込棒３４は中空角柱構造であり、同様にアルミ製であって、基板３１から所定長さ延伸している。その端部近傍には二本の差込棒３４に直交するように（基板３１の長手に平行なように）横桟３５が合着されている。
【００２７】
また、基板３１の表面３１１には蛇口３２が３箇所取り付けられ、裏面３１２には蛇口３２へ水を送り出す塩ビの配管３３が組み付けられている。配管３３は、ホース取付口（図示せず）にて別途取り回されたホースを取り付け、蛇口３２へそれぞれ水を供給する。なお、蛇口３２の先端は首振りパイプ３２１であり、水をシンク体１０の短手中央から供給できるようにしている。また、首振りであるので使用時に邪魔なときには適宜横に向ければよい。分解収容時にも横に向け積み重ねの際の高さを低くすることができる。
【００２８】
なお、本実施の形態では、水道体３０は、縦幅を底面１２１の縦幅より小さくしている。これにより、水道体３０は、分解収容時にはすっぽりと桶部１２内に収めることができる。
【００２９】
次に、組立シンク１の組立作業について説明する。まず、折り畳んである脚２２を伸展し、所望場所に脚体２０を立てる。続いて水道体３０の差込棒３４を脚体２０の差込口２３に差し込む。このとき、横桟３５が枠２１に当接し基板３１が位置決めされることとなる。なお、蛇口３２は、逆算して使用しやすい高さに基板３１に取り付けられている。ここでは、地上から１０５ｃｍとなる位置としている。
【００３０】
続いて、シンク体１０を枠２１に載せる。ここで、返し１１１の下部辺は枠２１の３辺に当接し、切り欠き１１２は、横桟３５の上面に当接する。シンク体１０の重さがかかり、横桟３５が枠２１と返し１１１に挟み込まれるので、水道体３０の安定性が高まり組立シンク１全体が一体化する（ガタツキがなくなる）。
【００３１】
最後に、ホースをホース取付口に取り付け、排水ホース１２３を排水路に導き、組立てを終了する。
【００３２】
なお、非使用時は、水道体３０をシンク体１０に埋め込み、脚２２を折り畳んで重ね、高さ方向に縮めて保管等する。
【００３３】
以上、組立シンク１は、使用時に簡便に組み立てることができ、安定性も高く使い勝手がよい。各種イベントに好適に使用することができる。また、使用しないときは、嵩張ることなく保管することができる。したがって、レンタル利用にも好適である。減容されているで、輸送コストも低減することができる。
【００３４】
なお、本発明は、上記の例に限定されない。たとえば、返し１１１は、縁１１の両方の長手に設けることもできる。
また、横桟３５はストッパの役割を担わせず（場合により設けなくてもよく）、単に差込棒３４を差込口２３に差し込み組み立てる態様としてもよい。
また、差込口２３は、脚２２に取り付けてもよい。この場合は、水道体３０を桶部１２に収容できないが、横倒しにして積み重ねることにより、高さ方向を詰めることは可能である。
また、返し１１１と桶部１２の間の縁１１幅部分に枠２１を収める設計としてもよい。この場合、組み込んだ状態で底面１２１より下の位置で脚２２が折り畳めるようにすれば、３パーツ構成ながら、実質的にシンク体１０と脚体２０とを一体とすることができる。
蛇口数は３つに限らず２つとも４つともすることができる。それ以上でもよいが、組立シンク１が横に長くなるので、取扱性、可搬性の観点から４つまでとするのが好ましい。
また、組立シンク１は３パーツから構成されているので、たとえば、利用者の要望により、シンク体１０と脚体２０とは同一の二組を会場等の使用現場へ送り、水道体３０を３蛇口ものと４蛇口ものとをそれぞれ送るようにしてもよい。シンク体１０も桶部１２が二つに仕切られた態様とすることもできる。
【産業上の利用可能性】
【００３５】
本発明は、イベントや工事現場で利用することができる。仮設住宅におくことも可能である。
【符号の説明】
【００３６】
１        組立シンク
１０     シンク体
１１     縁
１１１  返し
１１２  切欠
１２     桶部
１２１  底面
１２２  ゴミ受け
１２３  排水ホース
２０     脚体
２１     枠
２２     脚
２３     差込口
３０     水道体
３１     基板
３１１  表面
３１２  裏面
３２     蛇口
３２１  首振りパイプ
３３     配管
３４     差込棒
３５     横桟
【図１】
0006612140.tif 000002
【図２】
0006612140.tif 000003
【図３】
0006612140.tif 000004